【事件の表示】
　特許第３１４２８４７号「パチンコ遊技機」の請求項１に係る特許に対する特許異議の申立てについて、次のとおり決定する。
【結　論】
　特許第３１４２８４７号の請求項１に係る特許を維持する。
【理　由】
１．手続の経緯
　本件特許第３１４２８４７号の請求項１に係る発明についての出願は、平成２年２月２３日に出願された特願平２−４３８３４号の一部を平成９年２月１９日に新たな特許出願（特願平９−３５２１８号）とし、さらに、この出願の一部を平成１２年７月１９日に新たな特許出願（特願２０００−２１９２５２号）としたもので、平成１２年１２月２２日にその発明について特許の設定登録がされ、その後、その特許について、特許異議申立人　河井　清悦より特許異議の申立てがされたものである。
　　　
２．本件発明
　本件特許第３１４２８４７号の請求項１に係る発明は、願書に添付した明細書及び図面の記載からみて、その特許請求の範囲の請求項１に記載された次のとおりのものである。
「【請求項１】　遊技者にとって有利な特別遊技状態が発生したことに基づき開放制御される役物装置を含む複数の入賞領域を具備する遊技盤と、前記入賞領域の何れかに球が入賞したことに基づき所要数の球を排出可能な球排出装置を具備するパチンコ遊技機本体と、を有し、前記遊技盤を前記パチンコ遊技機本体に対し着脱分離可能なパチンコ遊技機において、前記役物装置の制御を主に行う役物制御装置と、前記球排出装置の制御を行う排出制御装置とを有し、前記役物制御装置には、該役物制御装置による制御のためのデータを一時的に記憶可能な役物記憶手段を備える一方、前記排出制御装置には、該排出制御装置による制御のためのデータを一時的に記憶可能な排出記憶手段を備え、当該パチンコ遊技機は、当該パチンコ遊技機の停電状態を検知する停電検知手段と、前記役物記憶手段および前記排出記憶手段に記憶されるデータを停電状態においても記憶保持可能とする記憶保持手段と、を備え、停電状態から復旧した場合に、前記役物制御装置は前記排出制御装置より遅れて制御を再開するようにしたことを特徴とするパチンコ遊技機。」
　　　　
３．申立て理由の概要
　特許異議申立人　河井　清悦は、本件特許発明は、甲第１号証記載の発明に甲第２号証記載の発明及び周知技術（甲第３号証〜甲第８号証参照）を適宜組合わせることにより当業者が容易に発明をすることができたものであるから、特許法第２９条第２項の規定により特許を受けることができないものである、また、本件特許発明は、特許を受けようとする発明が明確でないとともに発明の詳細な説明に記載されていないものであって、特許法第３６条の規定に違反するから、本件特許は、特許法第１１３条第２号の規定及び同条第４号の規定により取り消すべきものである、旨主張するとともに、下記証拠方法を提出している。
（証拠方法）
　甲第１号証：特開平１−２４４７７６号公報
　甲第２号証：特開昭６０−５８１８６号公報
　甲第３号証：特開平１−１７１５８５号公報
　甲第４号証：特開平１−２７０８８５号公報
　甲第５号証：実願昭６２−１１１７７２号（実開昭６４−１９４８１号）
　　　　　　　の全文明細書及び図面
　甲第６号証：特開昭６３−２６０５８２号公報
　甲第７号証：特開昭６１−１０３４６３号公報
　甲第８号証：特開昭６１−１０３４６４号公報
　甲第９号証：特開昭６２−６１１５０号公報
　甲第１０号証：特開昭６２−１１９６１８号公報
　　　　　
４．特許法第２９条第２項違反について
（ア）甲各号証記載の発明
　甲第１号証には、
「遊技領域内に、始動入賞装置と、該始動入賞装置中への打球の流入により作動されて表示の変化が行なわれる可変表示装置と、該可変表示装置の表示変化の停止結果としての特定の表示態様に基づき大当りとして駆動手段により開放状態にされる入賞口を備えた変動入賞装置と、前記始動入賞装置への打球の流入を検出する検出器と、該検出器からの信号を受けて前記可変表示装置に表示変化を行なわせその停止結果としての特定の表示態様を検出して前記変動入賞装置の入賞口を所定期間開放させるとともに一定の条件下にその所定期間の開放のサイクルを更新させるようにする制御手段とを備えたパチンコ遊技機。」（特許請求の範囲）、
「第１図は、この発明が適用された第１実施例に係るパチンコ遊技機の前面の構成例を示すもので、遊技盤１（第２図により詳しく示す）の前面には、下部の操作ダイヤル２０ａの操作により駆動される打球発射装置２０によって発射された打球を遊技盤１の上方部まで案内するガイドレール３が配設され、遊技盤１前面のガイドレール３とガラス板とによって囲まれた空間に遊技領域２が構成されている。そして、この遊技領域２の中央には、３つの可変表示部Ａ，Ｂ，Ｃ、入賞記憶表示部４１１ｅ〜４１１ｈ等を有する補助遊技装置としての可変表示装置４が、またその下方には通常は遊技領域２の一部を成しているが、可変表示装置４における特定遊技態様の発生により入賞領域に変換するアタッカー形式の変動入賞装置５がそれぞれ設置されている。」（第２頁右上欄第８行〜左下欄第３行）こと、
「図外の電源スイッチ操作によりパチンコ遊技機に電気が供給されると、可変表示装置４の入賞記憶表示部４１１ｅ〜４１１ｈ中のランプおよび変動入賞装置５の入賞個数表示部５１５中のランプが全て同時に又は一定方向へ流れるように点滅を開始する。変動入賞装置５の開閉扉５１３は閉じた状態を維持し、左右の案内部材５１４，５１４は垂直上向きに閉じた状態を維持している。
　そして、遊技者が操作ダイヤル２０ａの金属部分２０ｂに手を接触させた状態で該操作ダイヤル２０ａを回動させると、発射モータ（後述）のスイッチ１０７がオンされるとともにパイロットランプ２４が点灯されて、打球発射装置２０が作動され通常の遊技が開始される。この通常遊技時においては１回の入賞ごとに通常排出用の賞球数表示器２２ｂが点灯して通常個数（例えば１３個）の賞球排出が行なわれる。」（第３頁左上欄第１９行〜右上欄第１５行）こと、
「この“大当り（特別な遊技態様）”は遊技者に特別多くの賞球獲得のチャンスを与えるもので、この実施例では、例えば、変動入賞装置５の開閉扉５１３が開放されると共に左右の案内部材５１４，５１４が逆「ハ」の字状に開かれ、その状態が所定時間（例えば、３０秒間）継続されるか、又は変動入賞装置５内へ打球が所定個数（例えば、１０個）入賞して入賞個数表示器５１５のランプが１０個点灯されるまで継続され、しかる後、元の状態に復帰される。」（第４頁左下欄第１行〜第１０行）こと、
「また、前記役物制御装置６１０は役物としての可変表示装置４、変動入賞装置５等を作動させるコンピュータシステム等の制御部を備えている。」（第２３頁右下欄第１８行〜第２０行）こと、
「第３７図には前記賞球排出回路６８０による賞球排出用モータ８２の制御のブロック図を示す。
　上記のように、入賞球の重みで入賞球処理装置７８が回動されるとそれに伴い、スイッチセンサ２２１（ＳＷＡ）がオンされて、その信号が賞球排出回路６８０に入力される。すると賞球排出回路６８０から駆動回路６８５に作動指令信号が出されて賞球排出用モータ８２が駆動され、それによって上記賞球排出動作が行なわれる。」（第２８頁左上欄第３行〜第１１行）こと、が図面とともに記載されている。
　甲第２号証には、
「本発明は電子的に制御されるパチンコ台等の遊戯機の停電処理装置に関するものである。」（第１頁右下欄第１１行〜第１２行）こと、
「停電時にも入賞球データ等を電池等のバックアップ手段を用いて記憶させておくことは容易であるが、停電前に発射された球が停電後に入賞した場合や、停電時に残っている入賞球に対して停電復旧後に賞球を放出すべきかどうかは停電時間により異なる。即ち遊戯客が停電後もその遊戯台に残っていれば賞球を放出しなければならず、遊戯客が遊戯を停止してその台を離れた場合には賞球を放出する必要がない。従って制御部でこれらを一律に判断すれば不合理な結果を招くことがあった。」（第１頁右下欄第１９行〜第２頁左上欄第９行）こと、
「ＣＰＵ２３は内部にシステムプログラムを記憶するリードオンリメモリ（以下ＲＯＭという。）２３ａとデータを一時保持するランダムアクセスメモリ（以下ＲＡＭという）２３ｂを有するものとする。ＲＡＭ２３ｂには賞球の放出時に立てられ、確認によってリセットされる賞球放出フラグＦ１と賞球の放出が確認されたときに立てられる確認フラグＦ２及び停電を検知したときに立てられる停電検知フラグＦ３、更に入賞球数を計数して放出すべき賞球を保持する賞球放出レジスタＭ１が設けられている。」（第３頁左上欄第２０行〜右上欄第１０行）こと、
「次に第４図は電源部２４及び電源切換部２５を更に詳細に示すブロック図である。本図において商用交流入力はトランス３１によって二つの低電圧に変換され、一方の電圧源には電源部２４の停電検知回路３２と電源回路３３が接続され、通常はこの電源回路３３によりＣＰＵ２３及び他の回路部に電源が供給されている。又トランス３１の他方の低電圧源には電源切換部２５が接続される。即ち低電圧源には整流素子３４を介して充電式電池３５と単安定マルチバイブレ−タ３６が並列に接続されている。充電式電池３５は整流器３４によって常に充電されて」（第３頁右上欄第１８行〜左下欄第９行）いること、
「又ダイオード４１，４２は停電時に充電式電池３５よりＣＰＵ２３のＲＡＭ２３ｂをバックアップするために整流出力端とＣＰＵ２３の電源端子間に接続されている。」（第３頁左下欄第１９行〜右下欄第２行）こと、
「ステップ51において１０秒以内の停電である場合、又はステップ53において継続信号が得られた場合にはステップ54に進んでＣＰＵ２３のスタンバイモードを解除し、所定のデータ・レジスタを呼出し、プログラムカウンタを読出すと共に、トランジスタ２６をオンとして打球発射を許可して中断の再開を行う。又ステップ52においていずれかのクリア信号I1、I4が得られた場合にはステップ55に進んで初期処理を行い、ステップ56においてトランジスタ２６を駆動して打球発射を可能にする。そしてステップ57，58において賞球放出レジスタＭ１が１以上であるかどうかをチェックし、更に停電フラグＦ３が立っているかどうかをチェックしつついずれかの入賞球孔５ａ〜５ｆへ入賞球が入るまで待ち受ける。入賞球があれば後述する定時割込処理によって入賞球レジスタＭ１がインクリメントされるので、ステップ59に進み賞球放出フラグＦ１を立てトランジスタ２９を介して賞球放出装置１３を駆動する。」（第３頁右下欄第１８行〜第４頁左上欄第１７行）こと、
「又ステップ58において停電フラグＦ３が立っていれば停電状態となったのでステップ63に進んで単安定マルチバイブレ−タ３６がセットアップしているかどうかをチェックする。これがセットアップしていなければ停電直後であり直ちに停電が復旧する可能性もあるのでステップ57に進んで賞球放出レジスタＭ１が１以上であるかどうかによって同様に入賞球の有無をチェックする。又単安定マルチバイブレ−タ３６がセットアップしていればステップ64に進んで停電フラグＦ３をクリアし、プログラムカウンタ及びデータ・レジスタを保存した後、ＣＰＵ２３をスタンバイモードに切換えて処理を終了する。」（第４頁右上欄第５行〜第１７行）こと、
「更に停電になれば電源回路３３から制御部１７の各部に電源が与えられなくなるが、単安定マルチバイブレ−タ３６が出力を出している１０秒間はトランジスタ３７がオン状態にあるため充電式電池３５よりトランジスタ３８とダイオード３９，４０を介してＣＰＵ２３及び他の回路部に電源が供給される。そして１０秒間以上経過すればトランジスタ３７，３８はオフとなり、ＣＰＵ２３に停止信号19が与えられてＣＰＵ２３はスタンバイモードとなる。一方充電式電池３５よりダイオード４１，４２を介してＣＰＵ２３にのみ電源が供給され続け、そのＲＡＭ２３ｂのデータはそのまま保存される。従って賞球放出レジスタＭ１や各フラグＦ１〜Ｆ３の内容はそのまま保持されている。」（第４頁左下欄第１８行〜右下欄第１２行）こと、が図面とともに記載されている。
　甲第３号証には、
「パチンコ機２は本体である中枠12と、中枠12にヒンジ15によって開閉可能な外枠14と、中枠12に設けた遊技盤収納枠16とを主構成としている。この遊技盤収納枠16には遊技盤19がロック部材18によって着脱可能に設けてある。」（第３頁左下欄第７行〜第１１行）ことが記載されているとともに、図面第４図には、遊技盤収納枠16に対する遊技盤19の着脱状態が図示されている。
　甲第４号証には、
「上記パチンコ機の交換作業を以下のように行っている。
　まず、旧遊技盤をパチンコ機の設置場所から外し、旧遊技盤の演算制御基板取外す。そして、この取外した演算制御基板を予め入力装置制御基板と出力装置制御基板とが装着された新遊技盤に装着し、この新遊技盤をこれらの基板とともに前記設置場所に再設置する。」（第２頁左下欄第８行〜第１５行）こと、
「パチンコ機２は本体である中枠46と、中枠46にヒンジ47によって開閉可能な外枠48と、中枠46に設けた遊戯盤12収納枠50とを主構成としている。この遊戯盤12収納枠50には遊戯盤12がロック部材51によって着脱可能に設けてある。」（第６頁左上欄第１８行〜右上欄第２行）こと、が記載されているとともに、図面第４図には、遊技盤12収納枠50に対する遊技盤12の着脱状態が図示されている。
　甲第５号証には、
「基枠に着脱自在に取り付けられる遊技盤に電気配線接続用の一対のコネクタの一方を配置し、前記基枠にコネクタの他方を配置するようにしたことを特徴とするパチンコ機。」（明細書第１頁第４行〜第７行）が記載されているとともに、図面第２図、第３図には、基枠に対する遊技盤４を着脱自在に取り付ける構成が図示されている。
　甲第６号証には、
「入賞したときの球の払出し管理、球払出しのための補給管理、入賞球と払出球の統計管理、さらに盤面役物の作動管理等を行うプログラムをＲＯＭ化すると共に、遊技中の状況を記憶するＲＡＭを設け、該ＲＡＭの電源回路にバックアップ用の蓄電体を接続し、停電時にこの蓄電体により遊技中の情報を保存するように構成したことを特徴とするパチンコ機。」（特許請求の範囲）、
「本発明の一実施例を図について説明すると、１はＲＯＭであって、パチンコ遊技を進行するために必要なすべてのプログラムを記憶されているものである。この記憶情報としては、入賞したときの球の払出し管理、球払出しのための補給管理、入賞球と払出球の統計管理、さらに盤面役物の作動管理等を考えることができる。２はＲＡＭであって、ＲＯＭ１から呼び出されたプログラムで遊技を行ない、このプログラムの流れが遊技によってその状況が変ったとき、その変更後の情報を記憶するものである。状況変化への対応は、ＣＰＵ（中央処理装置）３によって行なうことになる。ＣＰＵ３には役物（図示せず）を駆動するアクチュエータ４と、入賞状況等を表示する表示装置５が接続されている。６は蓄電体としての電池であり、ＲＡＭ２およびＣＰＵ３に接続されて、これらに記憶された情報を、停電時に消失しないようにバックアップするものである。このように構成されたこのパチンコ機は、遊技中に停電に遭遇しても、ＲＡＭに記憶されたそれまでの遊技情報は電池６によってバックアップされるから、消失することはない。したがって停電の回復後、継続して遊技が行なえることになる。以上説明した実施例においては、蓄電体として電池６を用いたが、蓄電体としては、このほかに、コンデンサを考えることができる。」（第２頁右上欄第５行〜左下欄第１０行）こと、が図面とともに記載されている。
　甲第７号証、甲第８号証には、
「なお、コイン投入口90へは７枚を限度としてコインを投入でき、この投入されたコインは貯留コインとして後述するＲＡＭ98に記憶されるようになっている。96はコインをコイン受皿93に払出すためのコイン払出装置である。第８図は制御系のブロック図を示している。同図において、97は主としてマイクロコンピュータにより構成した制御装置で、ラッキ表示装置74の読取手段77、コイン投入口90から投入されたコインを検出するコイン検出スイッチ99、球検出スイッチ81、精算スイッチ94、スタートスイッチ95、リードスイッチ26等から信号を入力し、第９図に示すＲＡＭ98に遊戯状態を順次記憶する。そして制御装置97は次のような処理機能を有する精算スイッチ94のオンによりソレノイド38を作動させると共に、コイン払出装置96を作動させて、貯留コインをコイン受皿93に払出す。」（甲第７号証の第４頁左上欄第１９行〜右上欄第１６行、甲第８号証の第４頁左上欄第１１行〜右上欄第８行）こと、
「第９図は制御装置97が有するＲＡＭ98部分の回路図を示し、同図において、ＲＡＭ98は呼出端子OEと書込端子WRと電源端子VDDと作動端子CSとを有し、ＲＡＭ98は、電源端子VDDから高電圧が印加するとき書込端子WRから信号を入力して遊戯状態を順次記憶すると共に、電源端子VDDへの低電圧の印加により記憶を消却するように構成されている。またＲＡＭ98は、作動端子CSに低電圧（約０Ｖ）が印加しているとき、ＲＡＭ98は入出力が可能な作動状態になり、書込み、読出しが可能で順次遊戯状態を記憶することができる。また作動端子CSに高電圧（約５Ｖ）が印加しているとき、ＲＡＭ98は入出力しなくなり、その記憶状態を保持し、このとき消費電力も少なくなるように構成されている。」（甲第７号証の第５頁左上欄第１行〜第１５行、甲第８号証の第４頁右下欄第１３行〜第５頁左上欄第７行）こと、
「商用電源が停電等によりオフすると、コンデンサ102の放電により、該コンデンサ102から電源端子VDDに高電圧が供給され、ＲＡＭ98の記憶は消却されることない。このときトランジスタ112がオフするため、作動端子CSが高電圧になり、ＲＡＭ98は、作動を停止し、ＲＡＭ98の記憶はそのまま保持されると共に、ＲＡＭ98の電力消費が少なくなる。そして電源のオフから一定時間（約１時間）経過すると、コンデンサ109の放電により点Ａの電圧が高くなり、トランジスタ104がオンし、その結果放電回路103の作動によりコンデンサ102が急速に放電し、この時点でコンデンサ102から電源端子VDDへ高電圧が供給されなくなり、ＲＡＭ98の記憶が消却される。」（甲第７号証の第６頁左上欄第１０行〜右上欄第４行、甲第８号証の第６頁左上欄第２行〜第１６行）こと、が図面とともに記載されている。
　甲第９号証には、
「本発明は複数計算機システムにおける各計算機の業務を開始するタイミングの決定方法に関し、特に計算機間の順序連絡なしにタイミングを決定するのに好適な複数計算機システムの電源投入時の立上げ方式に関する。」（第１頁左下欄第１３行〜第１７行）こと、
「各々の計算機、端末機器への電源投入順序は、電源供給元の能力をオ−バしない様に分割して投入される。本構成例では業務ａがＬＡＮのイニシャルを担当するため、業務ｂ、ｃに先立ってスタートする必要がある。又業務ａは業務ｂ、業務ｃを実行する為の大量の情報を業務ｂ、ｃの開始時に送出する。業務ａの負荷を考慮するため業務ｂ、ｃのスタート時期をズラす必要がある。また、計算機−Ｂ〜Ｃは計算機−Ａのダウンを想定して、業務ａを含む業務ｂ'、Ｃ'を実行する場合もある。従って、最も計算機電源投入の遅い計算機−Ｃが最も早い業務ａを実行できる時間分（ｔｄａ、ｔｄｂ）を遅延補正時間として、各計算機毎に定義する。」（第２頁右上欄第３行〜第１６行）こと、が図面とともに記載されている。
　甲第１０号証には、
「第１図は、本発明の構成をフローチャートで示したもので、Ｓ１〜Ｓ３は各処理ステップである。ステップＳ１において、ＳＶＰ１２０よりＳＰＣ１３０が早く動作可能状態となる時間関係でＳＶＰ１２０及びＳＰＣ１３０が電源投入される。ＳＰＣ１３０の立上り時間特性はＳＶＰ１２０のそれよりも充分に早いので、ＳＶＰ１２０とＳＰＣ１３０を同時に電源投入することにより、通常前記時間関係が満足される。ステップＳ２においては、ＳＰＣ１３０は、それが動作可能状態になったときは、計算機システム内装置機器の中の特定装置に対しＳＶＰ１３０の指示を受けることなしに電源投入処理を予め実行する。この特定装置上には、例えば冷却水供給装置１１１ａの様にその装置機器の電源投入が完了しないと他の装置機器の電源投入が開始出来ないものや電源投入完了に時間が掛るもの等が選定される。」（第３頁右上欄第１０行〜左下欄第７行）こと、が図面とともに記載されている。
　　　
（イ）対比
　本件請求項１に係る発明と甲第１号証記載の発明とを対比すると、甲第１号証記載の発明における「可変表示装置４における特定遊技態様の発生により入賞領域に変換するアタッカー形式の変動入賞装置５」、「遊技盤１」、「賞球排出装置（賞品球排出装置とも表記されている。）」、「役物制御装置６１０」、「賞球排出回路６８０等」は、その機能に照らし、本件請求項１に係る発明における「遊技者にとって有利な特別遊技状態が発生したことに基づき開放制御される役物装置」、「遊技盤」、「球排出装置」、「役物制御装置」、「排出制御装置」にそれぞれ相当する。したがって、本件請求項１に係る発明と甲第１号証記載の発明とは、
「遊技者にとって有利な特別遊技状態が発生したことに基づき開放制御される役物装置を含む複数の入賞領域を具備する遊技盤と、前記入賞領域の何れかに球が入賞したことに基づき所要数の球を排出可能な球排出装置を具備するパチンコ遊技機本体と、を有したパチンコ遊技機において、前記役物装置の制御を主に行う役物制御装置と、前記球排出装置の制御を行う排出制御装置とを有し、前記役物制御装置には、該役物制御装置による制御のためのデータを一時的に記憶可能な役物記憶手段を備えたことを特徴とするパチンコ遊技機」
の点で一致し、下記（ａ）乃至（ｄ）の点で相違している。
（ａ）本件請求項１に係る発明では、遊技盤をパチンコ遊技機本体に対し着脱分離可能としているのに対し、甲第１号証記載の発明では、遊技盤をパチンコ遊技機本体に対し着脱分離可能とする点について明記されていない点。
（ｂ）本件請求項１に係る発明では、排出制御装置には、該排出制御装置による制御のためのデータを一時的に記憶可能な排出記憶手段を備えているのに対し、甲第１号証記載の発明では、排出制御装置による制御のためのデータを一時的に記憶可能な排出記憶手段を備えていない点。
（ｃ）本件請求項１に係る発明では、当該パチンコ遊技機は、当該パチンコ遊技機の停電状態を検知する停電検知手段と、前記役物記憶手段および前記排出記憶手段に記憶されるデータを停電状態においても記憶保持可能とする記憶保持手段と、を備えたのに対し、甲第１号証記載の発明では、役物制御装置には、該役物制御装置による制御のためのデータを一時的に記憶可能な役物記憶手段を備えてはいるが、停電状態を検知しそれに対応するものではなく、上記本件請求項１に係る発明の構成を具備しない点。
（ｄ）本件請求項１に係る発明では、停電状態から復旧した場合に、役物制御装置は排出制御装置より遅れて制御を再開するようにしたのに対し、甲第１号証記載の発明では、停電状態を検知しそれに対応する構成は一切なく、上記本件請求項１に係る発明の構成を具備しない点。
　　　　　
（ウ）当審の判断
　そこで、上記相違点について検討する。
相違点（ａ）について
　遊技盤をパチンコ遊技機本体に対し着脱分離可能とすることは甲第３号証乃至甲第５号証に記載され、この構成は、パチンコ遊技機業界において良く知られた周知の技術である。したがって、甲第１号証記載のパチンコ遊技機に上記周知の技術を施し、相違点（ａ）における本件請求項１に係る発明の構成とすることは当業者が容易に想到し得ることである。
相違点（ｂ）について
　甲第２号証には、「ＲＡＭ２３ｂには賞球の放出時に立てられ、確認によってリセットされる賞球放出フラグＦ１と賞球の放出が確認されたときに立てられる確認フラグＦ２及び停電を検知したときに立てられる停電検知フラグＦ３、更に入賞球数を計数して放出すべき賞球を保持する賞球放出レジスタＭ１が設けられている。」（第３頁右上欄第４行〜第１０行）と記載されているとともに、停電時に充電式電池３５よりＲＡＭ２３ｂをバックアップし排出制御装置による制御のためのデータを一時的に記憶する排出記憶手段を備えることが記載されており、この技術を甲第１号証記載のパチンコ遊技機に適用し相違点（ｂ）における本件請求項１に係る発明の構成とすることは当業者が容易に想到し得ることである。
相違点（ｃ）について
　甲第２号証は、賞球放出機、すなわち球排出装置に関するものではあるが、「停電を検知する停電検知手段（停電検知回路３２）」（「停電状態を検知する停電検知手段」に相当）を設け、停電の際にも充電式電池３５（「記憶保持手段」に相当）よりＣＰＵ２３に電源が供給され続け、ＲＡＭ２３ｂ（「排出記憶手段」に相当）のデータはそのまま保存されることが記載され、また甲第６号証には、遊技中の状況を記憶するＲＡＭ（「記憶手段」に相当）を設け、該ＲＡＭの電源回路にバックアップ用の蓄電体を接続し、停電時にこの蓄電体により遊技中の情報を保存するよう構成することが記載されている。してみると甲第２号証（及び甲第６号証）記載の「停電状態を検知する停電検知手段」及び「データを停電状態においても記憶保持可能とする記憶保持手段」を甲第１号証記載のパチンコ遊技機に適用するに際し、排出記憶手段だけでなく、役物記憶手段にも適用すること、すなわち相違点（ｃ）における本件請求項１に係る発明の構成とすることは当業者が容易に想到し得ることである。
相違点（ｄ）について
　甲第２号証及び甲第６号証には、遊技中のデータを停電状態においても記憶保持可能とし、停電の回復後において継続して遊技を行うことが記載されているが、甲第２号証及び甲第６号証には停電状態から復旧し遊技を再開するに際し再開時にどのような状態で再開させるかについては一切言及されていない。すなわち甲第２号証及び甲第６号証には、「停電状態から復旧した場合に、役物制御装置は排出制御装置より遅れて制御を再開するようにした」点について記載も示唆もないものである。
　また、甲第７号証及び甲第８号証には、弾球遊技機において、遊戯状態をＲＡＭ98に順次記憶するとともに、商用電源が停電等によりオフするとコンデンサ102の放電により電源端子VDDに高電圧が供給されてＲＡＭ98の記憶はそのまま保持されること、また電源のオフから一定時間（約１時間）経過するとコンデンサ102を急速に放電させてＲＡＭ98の記憶を消却させることは記載されているが、上記「停電状態から復旧した場合に、役物制御装置は排出制御装置より遅れて制御を再開するようにした」点について記載も示唆もないものである。
　また、甲第３号証乃至甲第５号証は、パチンコ遊技機に関するものではあるが、停電状態を検知しそれに対応する構成については一切記載がなく、甲第３号証乃至甲第５号証には、上記「停電状態から復旧した場合に、役物制御装置は排出制御装置より遅れて制御を再開するようにした」点について記載も示唆もないものである。
　さらに、甲第９号証及び甲第１０号証には、複数計算機システムの電源投入方式において、電源供給元の能力をオーバしない様に分割して電源を投入すること、また電源投入の順序は、特定の装置機器の電源投入が完了しないと他の装置機器の電源投入ができないものや電源投入に時間が掛かるものを最初に投入することは記載されているが、甲第９号証及び甲第１０号証記載のものは、複数計算機システムの電源投入方式であってパチンコ遊技機に関するものではなく、当然にパチンコ遊技機に特有の構成である役物制御装置及び排出制御装置を具備するものではなく、「停電前の遊技球の入賞に対する賞球の排出を遊技の再開前に行わせるようにして賞球が排出されないことによって生ずる不利益を遊技者に与えないようにする遊技機を提供する」という課題の下に、上記「停電状態から復旧した場合に、役物制御装置は排出制御装置より遅れて制御を再開するようにした」点について記載も示唆もないものである。
　してみると、相違点（ｄ）における本件請求項１に係る発明の構成を採用することが、甲第１号証乃至甲第１０号証の記載から当業者が容易に想到し得たものということができない。
　そして、本件請求項１に係る発明は、請求項１記載の構成を具備したことにより前記課題を解決して、これにより明細書に記載された甲第１号証乃至甲第１０号証の記載からは予測し得ない格別の作用、効果を奏するものと認められる。
　　　　　
（エ）むすび
　以上のとおり、相違点（ｄ）における本件請求項１に係る発明の構成を採用することが甲第１号証乃至甲第１０号証の記載に基づいて容易であるとはいえないから、本件請求項１に係る発明が、甲第１号証乃至甲第１０号証記載の発明に基づいて容易に発明をすることができたものとは認められない。
　　　
５．明細書の記載不備について
　特許請求の範囲の請求項１に「前記役物装置の制御を主に行う役物制御装置と、前記球排出装置の制御を行う排出制御装置とを有し、」と記載されているところからみて、請求項１に記載の「停電状態から復旧した場合に、前記役物制御装置は前記排出制御装置より遅れて制御を再開するようにした」における「制御」が、「役物装置の制御」であることは明らかであり、またこの点は発明の詳細な説明に記載されている事項である。
　よって、請求項１に記載された発明は、明確であるとともに、発明の詳細な説明に記載したものであると認められる。
　　　　　　
６．むすび
　以上のとおりであるから、特許異議の申立ての理由によっては本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月１６日（２００２．１０．１６）